(57)【要約】 【課題】  安楽な状態で、安全且つ容易に使用し得ると共に、過圧に起因する不利が解消でき、正しい鼻筋の矯正を実行できる許かりでなく鼻筋マッサージも行える鼻筋矯正用ローラーを提供する。【解決手段】  持ち手部１の先端部に前方へ湾曲するＵ字状の分岐アーム２を連続突設し、この一対の分岐アーム２１，２２の先端部にそれぞれ先細のローラー３１，３２を配備すると共に、一位のローラー３１，３２の対向間隔は、先端側が鼻の裾野に対応して最も広く、且つ基端側は鼻の嶺側に対応して最も狭くなるように鼻の形態に対応させたことを特徴とする。【選択図】          図１
0003141605.tif 000002
【実用新案登録請求の範囲】
【請求項１】
持ち手部１の先端部に前方へ湾曲するＵ字状の分岐アームを連続突設し、この分岐アームの先端にそれぞれ先細のローラーを配備すると共に、この左右一対のローラーの対向間隔は、先端側が鼻の裾野に対応して最も広く、且つ基端側は花の嶺側に対応して最も狭くなるように鼻の形態に対応させたことを特徴とする鼻筋矯正用ローラー。
【請求項２】
前記ローラーは、基端側から先端側に向けて仰角に傾斜設定したものであることを特徴とする請求項１記載の鼻筋矯正用ローラー。  
【考案の詳細な説明】
【技術分野】
【０００１】
この考案は、鼻筋を正しく且つバランス良く癖付けするための家庭用の器具であって、特には安全で美容性の高い鼻筋矯正用ローラーに関する。
【背景技術】
【０００２】
鼻を高く且つ美しくするための器具として、図６に示すものが知られている。この隆鼻用クリップは、硬質板材を折り曲げて鼻梁に沿うように山型に形成した外側カバー体５１と、外側カバー体５１より一回り小型の山型に形成され、外側カバー体５１の内側に重合配備されるパッド部材５２と、外側カバー体５１に配備されパッド部材５２を内向きに押圧し、鼻を挟圧させる押圧力付与ネジ手段５３とから成る。
【０００３】
押圧力付与ネジ手段５３は、パッド部材５２の外面に配備される当て板５３ｂにネジ軸５３ａの先端を固定し、外側カバー体５１を貫通突設する基端に操作用回動つまみ５３ｃを取り付け、この操作用つまみ５３ｃを回動させることで、パッド部材５２の山型間隔を狭める。
【０００４】
使用に際しては、鼻に綿布５４を被せた上から、このクリップを被せる。操作つまみ５３ｃを回すことで、左右の当て板５３ｂが小鼻を強く押圧する。完全に締め付けた状態でネジ込みを止める。この状態を１５分間以上保持し、少しの休憩をおいて数回繰り返す。これにより、鼻筋がとおったバラスンの良い鼻に矯正する。
【特許文献１】実開昭５２−１３９６９６号公報
【考案の開示】
【考案が解決しようとする課題】
【０００５】
上記隆鼻用クリップでは、ネジ軸のネジ込み程度で挟圧力を調整することができる点の違いを除けば、所謂洗濯バサミで小鼻を挟むこととさしたる違いはない。
【０００６】
このため、従来のクリップでは、鼻筋に対し、強い押圧力、締付力を所定時間持続的に作用させる点、その間、押圧力、締付力の強度が変化せず固定的である点、更に当て板に対応する部分に対し締付け力を一点集中的に作用させる点に問題がある。
【０００７】
この結果、使用者にとって、使用中大きな苦痛を伴うばかりでなく、過圧による不利、例えば鼻軟骨を痛める虞れがあると共に、当て板対応部分がうっ血する等、血行障害の虞れがあり皮膚に悪影響を与える等の不利があった。
【０００８】
この考案は、以上のような課題を解消させ、安楽な状態で、安全且つ容易に使用し得ると共に、過圧に起因する不利が解消でき、正しく鼻筋の矯正が実行できる鼻筋矯正用ローラーを提供することを目的とする。
【課題を解決するための手段】
【０００９】
この目的を達成させるために、この考案の鼻筋矯正用ローラーでは、次のような構成としている。
【００１０】
鼻筋矯正用ローラーは、持ち手部の先端部に、前方へ湾曲するＵ字状の分岐アームを連続突設し、この一対の分岐アームの先端部にそれぞれ先細のローラーを配備すると共に、一対のローラーの対向間隔は、先端側が鼻の裾野に対応して最も広く、且つ基端側が鼻の嶺側に対応して最も狭くなるように鼻の形態に対応させたことを特徴としている。
【考案の効果】
【００１１】
この考案では以上のように、一対のローラーの対向間隔を、略三角形の鼻の形態に対応させることとしたから、両ローラー間で鼻を挟んだ状態において鼻すじに対し無理な力がかからず、安楽に且つ安全容易に正しい鼻筋の癖付けを実行し得る。
【００１２】
更に、ローラーを眉間から鼻先端までの間を上げ下げ動作させるとき、左右一対のローラーは互いに反対方向へ回転しながら、上昇・降下する。従って、鼻すじに対し大きな挟圧力がかかると、ローラー及びアームが左右方向へ逃げて吸収し、鼻筋を圧から保護するため、過圧によるうっ血や血行障害発生の不利が解消できる。
【００１３】
また、両ローラーのマッサージ効果によって、血行を良好にし新陳代謝を活発化させることで、鼻炎などの不具合を解消させると共に肌の活性化を図り得るなどの考案目的を達成した優れた効果を有する。
【考案を実施するための最良の形態】
【００１４】
以下、図面に基づき本考案に係る鼻筋矯正用ローラーの具体的な実施の形態を説明する。
図１は、鼻筋矯正用ローラーを示す斜視図である。
【００１５】
鼻筋矯正用ローラーは、比較的硬質な合成樹脂材によって成形される持ち手部１と、持ち手部１の先端に連続し前方へ湾曲する略Ｕ字状の分岐アーム２と、この各アーム２１，２２の先端に配備された回転可能な一対のローラー（ローラー３１，３２）３  とから構成される。
【００１６】
各ローラー３１（３２）は、図２の断面図で示すように、略円錐形状の外殻体をした硬質な軸受け体３１ｂと、この軸受け体３１ｂの中央に配備された両端部が開口した筒部３１ｄと、軸受け体３１ｂおよび筒部３１ｄの基端開口を閉成する円板状キャップ３１ｃと、軸受け体３１ｂの外表面を覆う軟質な表装部（シリコン樹脂皮膜層）３１ａとから成る。
【００１７】
前記アーム２１（２２）の先端２１ａ（２２ａ）は、キャップ３１ｃの穴から筒部３１ｄに嵌入している。筒部３１ｄの先端は、口径を窄めた小径部３１ｅに設定する一方、前記アーム２１（２２）の先端２１ａ（２２ａ）は、小径部３１ｅより大きい大径頭部２１ｂとすると共に、この大径頭部２１ｂには頭部径を拡縮する割り溝２１ｃが設けてある。
【００１８】
上記一対のローラー３１（３２）は、図３で示すように、全体として先細の円錐形状に形成されている。また、図１及び図２で示すように、ローラー３１（３２）は、基端３Ｃ側から先端３Ａ側に向けて仰角に傾斜設定してある。
【００１９】
この一対のローラー３１（３２）の対向間隔は、先細先端側が鼻の裾野に対応するように最も広い間隔、すなわち３Ａ−３Ｂ間を最も広い間隔Ｘとし、基端側は鼻の嶺側に対応する最も狭い間隔、すなわち３Ｃ−３Ｄ間を最も狭い間隔Ｙとなるように鼻の形態に対応させている（図３参照）。
【００２０】
このような構成を有する鼻筋矯正用ローラーでは、図５で示すように、両ローラー３１、３２間で、鼻筋を挟みつける。両ローラー３１、３２間隔は、鼻筋形状に適対応させてあるため、無理な力をかけることなく挟みつけることができる。
【００２１】
また、各ローラー３１（３２）は、図１、図２で示すように、基端３Ｃ側から先端３Ａ側へ仰角に傾斜設定してある。このため、持ち手部１を低い位置に保持した状態で、鼻筋の挟み付け操作をスムーズに行えると共に、後述するローラーの上下操作も容易に実施し得る。
【００２２】
この挟み付け状態で、ローラー３１（３２）を回転させ、眉間Ｈ１から鼻先端Ｈ２までの間を上下移動させる。つまり、鼻筋を挟み付けた状態のまま、持ち手部１を上昇・下降させる。図４で示すように、持ち手部１を下げるときは、一方のローラ３１は、時計方向廻りに回転し、逆に他方のローラー３２は時計と反対回りに回転しながら降下する。
【００２３】
また、持ち手部１を上げるときは、一方のローラ３１は時計と反対方向廻りに回転し、逆に他方のローラー３２は時計回りに回転しながら上昇する。つまり、左右一対のローラー３１、３２は互いに反対方向へ回転しながら上昇、下降する。
【００２４】
これによって、仮に挟み付ける鼻筋に対し大きな圧が加わるときは、この過圧はローラー３１、３２及びアーム２１に、２２作用するが、ローラー３１、３２が左右方向へ逃げ（移動し）、且つ分岐する細幅アーム２１，２２も左右方向へ逃げて吸収する。これにより、鼻筋に対し、過剰な圧がかかることを防止し鼻筋を保護する。
【００２５】
かくして、眉間Ｈ１と鼻先端Ｈ２の間を、鼻筋を挟み付けながら、部位に応じた適正な加圧力を作用させることとなり、使用者は苦痛なく、安全で正しい鼻筋矯正を実行し得る。
【図面の簡単な説明】
【００２６】
【図１】実施の形態の鼻筋矯正用ローラーを示す斜視図である。
【図２】ローラーの断面を示す拡大断面図である。
【図３】一対のローラー間隔と鼻筋の関係を示す説明平面図である。
【図４】一対のローラーの回転動作を示す説明正面図である。
【図５】実施の形態の鼻筋矯正用ローラーの使用状態を示す斜視図である。
【図６】従来の鼻筋矯正具を使用する状態を示す説明図である。
【符号の説明】
【００２７】
１      持ち手部
２      Ｕ字状分岐アーム
３      一対のローラー
２１    アーム  
２２    アーム
３１    ローラー
３２    ローラー
３Ａ    先細頂部
３Ｂ    先細頂部
３Ｃ    基端部
３Ｄ    基端部
Ｘ      ３Ａ−３Ｂ間隔
Ｙ      ３Ｃ−３Ｄ間隔
Ｈ      鼻筋
【図１】
0003141605.tif 000003
【図２】
0003141605.tif 000004
【図３】
0003141605.tif 000005
【図４】
0003141605.tif 000006
【図５】
0003141605.tif 000007
【図６】
0003141605.tif 000008